(57)【要約】      （修正有）【課題】容易に折りたため、使用に際してもワンタッチで背もたれが復帰し、組み立てる手間を省くとともに、流通過程における形状を小型にすることにより、梱包費、保管費、運搬費等を軽減する折り畳み収納座椅子を提供する。【解決手段】左右一対で構成される脚部１の座面受け１４に座面２を固定し、座面にラチェット結合した背もたれ３の高さ方向略中間部をヒンジ機構３３で２分割構造とし、背もたれ３高さ方向上部を座面側への片方向回動自在とし、背もたれ３上部と座面２が重合された収納状態を維持できる構成とする。【選択図】図１
0003163681.tif 000002
【実用新案登録請求の範囲】
【請求項１】
左右一対で構成される脚部１の座面受け１４に座面２を固定し、座面にラチェット結合３２した背もたれ３の高さ方向略中間部をヒンジ機構３３で２分割構造とし、背もたれ３高さ方向上部を座面側への片方向回動自在とし、背もたれ３上部と座面２が重合された収納状態を維持できる構成を特徴とする折り畳み収納座椅子。
【考案の詳細な説明】
【技術分野】
【０００１】  本考案は、座椅子に関するものである。現代の洋式化した生活においても、寒い季節になると座卓式のコタツを使う家庭がまだまだ多く見られるものであり、コタツを囲んでの語らいが冬の間の最も一般的な家族団らん風景として思い浮かぶものである。このように日本人の生活に深く溶け込んでいる座椅子であるが、使用場所、目的等に合わせて、その種類、形状とも相当数見られるものである。使用時のみを考慮した奇抜な形状のものもあるが、流通過程から使用に至るまでの間を考慮した物とそうでない物との間には、使用者の負担が大きく異なるものであった。
【背景技術】
【０００２】座椅子の構造は種々であり、一般的に見られるのは、金属製の骨組みで座面および背もたれを構成し、両者を所定角度回動固定自在にヒンジ接続し、骨組みにクッションを内蔵したマットを取り付けたもので、背もたれの所定部に肘置きを取り付けたものである。
また、木製の左右両脚間の所定高さ位置に座面と背もたれを形成するマットを配置し、椅子状に構成した高座椅子、集成合板あるいは合成樹脂により座面と背もたれを連続して略Ｌ字状に成形した簡略なものなども見られる。これは座椅子としての最低限の機能を持ったもので、使用に際しては座面に座布団を敷き、必要によっては背もたれにもマットを使用したりするものである。
また、座面の底部に回転台部を重合し、座面中心を回転自在に軸接合した、回転式座椅子なども見られる。
様々な種類のそれぞれの特性を持った座椅子であるが、宴席など短時間の使用では簡易な形状、機能で移動が容易なものが多く使用され、自宅の居間、書斎など長時間の使用を前提とした際には足腰への負担を軽減した高座椅子、高齢者の使用にはマットが厚く、座面が回転するものなど、用途により使い分けられるものである。
【考案の開示】
【考案が解決しようとする課題】
【０００３】これらの座椅子は、合成樹脂等の一体成形で略Ｌ字状に構成したものを除き、一般的に座面と背もたれを接続するヒンジ部分で二つ折りにして収納されるものであり、流通時あるいは使用者が収納する際にはほぼ半分の占有空間となるため、有効な手段であったが、この方法が採れるのは、座面と背もたれで構成される最も簡単な構成の物に限定されていた。高齢者を中心に最近需要が増している、足腰の負担を軽減する構成の高座椅子では、木製の両脚部間に座面を固定し、座面後端に背もたれをヒンジ結合した物が多いが、使用者が入手した後の収納はそれぞれの事情で成されようが、流通過程においてはできるだけ小さくまとめ梱包、保管、運送の経費縮小を図るため、使用者が組み立てる必要がある物が多かった。
いわゆるノックダウン方式で販売されるものであるが、使用者が若く、組み立てに抵抗感がない場合は良しとしても、高齢者が購入した場合、どうしても煩わしい作業となり、それ故、ネジの締め忘れ、部品配置の齟齬など、製品使用時の安全性に課題を残すこともあった。
【課題を解決するための手段】
【０００４】本願では以上のような課題を解決するため、高座椅子において、座面後端に接続される背もたれ自体を中間部で屈曲可能に構成し、手摺り部と同じ高さに折り畳み可能とすることによって、流通過程の形状を小さくするとともに、使用時には背もたれの屈曲を伸張すれば即時高座椅子としての使用を可能とするものである。
【考案の効果】
【０００５】以上のように、本考案の折り畳み収納座椅子を使用することにより、高齢の使用者であろうと、購入後即時背もたれの屈曲を伸ばすことにより使用が可能となるものである。また、製品の梱包費、運搬費用などが価格に反映されているため、組み立て後の同形状、同機能を有するものに比べ、安価に取得できるものである。また、背もたれ部の屈曲を伸ばすという簡単な動作のみであるため、ネジを締め忘れたり、違った部品を組み立てるといった、安全性に影響のあるミスも生じないものである。
【考案を実施するための最良の形態】
【０００６】本考案の最良の実施形態は、左右の脚部間の所定位置に架設した前後の座面受け１４に座面２を固定し、座面後端部には背もたれをラチェット結合３２する。座面２、背もたれ３は金属のフレームで構成した芯材が配置されており、両者のラチェット結合部３２は座面２と背もたれ３の間に配置されたガスシリンダー及びそれを操作するレバーにより、所定角度選択固定可能に成されるものである。背もたれ３部の芯材３１はさらに高さ方向ほぼ中間部でヒンジ機構３３で結合されており、高い部分の背もたれ３は座面２に重合する方向へ屈曲可能に構成される。つまり、背もたれ３部の上半分が座面２上に重なるように折り畳みができるものである。この高さは、脚部１に設けた肘置き１３の高さとほぼ同じであり、背もたれ３が上方へ突出しないため、最小の形となるものである。
【実施例】
【０００７】本考案の折り畳み収納座椅子の実施例を示す。１は脚部、１１は脚板、１２は脚、１３は肘置き、１４は座面受け、２は座面、３は背もたれである。脚部１の前後の座面受け１４上に座面２を固定し、座面２の後端に背もたれ３を回動自在にヒンジ機構３１で接続するものである。【０００８】脚部１は左右一対で構成される木材製である。畳の上での使用、また背もたれ回動操作時の重心移動を考慮して接地面積を多く得るための脚板１１は、後で述べる座面より後部へ長く張り出すものとする。脚板１１の前後端には２本の脚１２を立て、上端は肘置き１３で連結される。脚１２の下部位置には上下に複数の穴を設けて、座面受け１４の固定用とする。
左右一対の前後それぞれ対応する脚１２の穴に座面受け１４の両端固定用のボルトを嵌入して固定する。脚１２に設ける複数の穴は座面受け１４の高さを調節するために設けるものであり、前後の脚１２は同じ高さ位置の穴を利用して座面２の水平を得るものである。
以上のように脚部１が構成される。【０００９】座面２は金属のパイプフレームで方形に構成された芯材３１を、ウレタンフォームを合成皮革、布などで包皮したマットで包み込んだものであり、後端部に突出した芯材端に背もたれ３の芯材端をラチェット結合する。背もたれ３にも座面同様のマットが用いられるものであるが、背もたれ３の芯材３１は高さ方向に２分割に構成されており、略中間部で屈曲が可能となるよう構成されている。背もたれ３を構成する上下の芯材３１間にはヒンジ機構３３が配置されており、背もたれ３が直線上に伸びた状態から折れ曲がり、座面２と接触する位置まで屈曲するものである。よって座面２と背もたれ３の上部は重合状態となり、最小の形状となるものである。
なお、座面２と背もたれ３の間にはガスシリンダーを配置して、肘置き１３の近辺に配置したレバーにより両者を希望の傾斜角で位置保持できる構成を加えるものである。【００１０】以上のような構成でなる本考案であるが、使用者は座面の上に重合した背もたれを少し押すことでラチェットの係合が解除され、背もたれは直線上に伸びる。よって即時座椅子としての使用が可能となるものである。本考案の使用者は、収納時、運搬時には最小の形状でありながら、使用時には一瞬で通常の座椅子に変身する構成を得るものである。
【図面の簡単な説明】
【００１１】
【図１】本考案の実施例の状態を示したものである。
【図２】本考案の実施例で背もたれを折り畳んだ状態を示したものである。
【図３】本考案の実施例で内部構造を示したものである。
【符号の説明】
【００１２】    １    脚部
１１  脚板
１２  脚
１３  肘置き
１４  座面受け
２    座面
３    背もたれ
３１  芯材
３２  ラチェット結合
３３  ヒンジ機構
【図１】
0003163681.tif 000003
【図２】
0003163681.tif 000004
【図３】
0003163681.tif 000005